(57)【要約】【課題】セルあるいはセクタ範囲と通信可能な範囲とにずれがある場合でも確実にＳＨＯを実行する。【解決手段】移動局１０がＳＨＯ先候補セルをカバーする基地局２１と通信可能な範囲に到達したときにＳＨＯの実行が開始され、当該移動局１０がＳＨＯ元セルをカバーする基地局と通信可能な範囲から逸脱したときにＳＨＯの実行が終了するよう、ＳＨＯ元セルとＳＨＯ先候補セルとの組み合わせ毎に用意した補正を用いて、ＳＨＯの実行開始および実行終了のタイミングを判断するために止まり木チャネルの受信レベルと比較する基準値を補正する。【選択図】図３
2006166474.tif 000002
【特許請求の範囲】
【請求項１】
セル（あるいはセクタ）の範囲を決定する止まり木チャネル信号の移動局での受信レベルを基準値と比較することで、ハンドオーバの実行開始あるいは実行終了のタイミングを判断する、移動体通信システムにおけるハンドオーバの制御方法であって、
移動局がハンドオーバの先セル（あるいは先セクタ）をカバーする基地局と通信可能な範囲に到達したときにハンドオーバの実行が開始され、当該移動局がハンドオーバの元セル（あるいは元セクタ）をカバーする基地局と通信可能な範囲から逸脱したときにハンドオーバの実行が終了するように、予め用意しておいた補正値を用いて前記基準値を補正し、当該補正された基準値を用いて、当該ハンドオーバの実行開始あるいは実行終了のタイミングを判断すること
を特徴とするハンドオーバの制御方法。
【請求項２】
セル（あるいはセクタ）の範囲を決定する止まり木チャネル信号の移動局での受信レベルを基準値と比較することで、ハンドオーバの実行開始あるいは実行終了のタイミングを判断する、移動体通信システムにおけるハンドオーバの制御方法であって、
予め、ハンドオーバの元セル（あるいは元セクタ）および先セル（あるいは先セクタ）の組み合わせ毎に、補正値を用意し、
実行開始あるいは実行終了されようとしているハンドオーバが対象とする元セル（あるいは元セクタ）および先セル（あるいは先セクタ）の組み合わせを認識し、当該認識した組み合わせに対して予め用意しておいた補正値を用いて、前記基準値を補正し、当該補正された基準値を用いて、当該ハンドオーバの実行開始あるいは実行終了のタイミングを判断すること
を特徴とするハンドオーバの制御方法。
【請求項３】
請求項２記載のハンドオーバの制御方法であって、
前記補正値は、ハンドオーバの元セル（あるいは元セクタ）および先セル（あるいは先セクタ）の組み合わせ毎に、当該元セル（あるいは元セクタ）および当該先セル（あるいは先セクタ）の止まり木チャネルの受信レベルが等しくなる地点でのその受信レベルと、当該元セル（あるいは元セクタ）および当該先セル（あるいは先セクタ）のトラヒックチャネルの受信レベルが等しくなる地点での、当該元セル（あるいは元セクタ）あるいは当該先セル（あるいは先セクタ）の止まり木チャネルの受信レベルと、の差分に応じて決定されること
を特徴とするハンドオーバの制御方法。
【請求項４】
請求項２記載のハンドオーバの制御方法であって、
前記補正値は、ハンドオーバの元セル（あるいは元セクタ）および先セル（あるいは先セクタ）の組み合わせ毎に、当該元セル（あるいは元セクタ）をカバーする基地局および当該先セル（あるいは先セクタ）をカバーする基地局の止まり木チャネル送信レベルの差分と、当該元セル（あるいは元セクタ）をカバーする基地局および当該先セル（あるいは先セクタ）をカバーする基地局のトラヒックチャネル送信レベルの差分とに応じて、決定されること
を特徴とするハンドオーバの制御方法。
【請求項５】
セル（あるいはセクタ）の範囲を決定する止まり木チャネル信号の移動局での受信レベルを基準値と比較することで、ハンドオーバの実行開始あるいは実行終了のタイミングを判断する、移動体通信システムにおけるハンドオーバの制御方法であって、
ハンドオーバの元セル（あるいは元セクタ）および先セル（あるいは先セクタ）の組み合わせ各々について、前記基準値を使用してそのタイミングを判断した場合における実行結果（成功か失敗か）を少なくとも１回分蓄積し、その蓄積された結果に応じて前記基準値を補正し、当該補正された基準値を、当該組み合わせに対して新たにハンドオーバの実行開始あるいは実行終了のタイミングを判断する際に用いる新たな基準値に設定すること
を特徴とするハンドオーバの制御方法。
【請求項６】
セル（あるいはセクタ）の範囲を決定する止まり木チャネル信号の移動局での受信レベルを基準値と比較することで、ハンドオーバの実行開始あるいは実行終了のタイミングを判断する、移動体通信システムにおけるハンドオーバの制御方法であって、
ハンドオーバの元セル（あるいは元セクタ）および先セル（あるいは先セクタ）の組み合わせ各々について、前記基準値を使用してそのタイミングを判断した場合における実行結果（成功か失敗か）を、少なくとも１回分蓄積し、その蓄積された結果に応じて、当該組み合わせの元セル（あるいは元セクタ）あるいは先セル（あるいは先セクタ）をカバーする基地局の止まり木チャネル信号の送信レベルを調整すること
を特徴とするハンドオーバの制御方法。
【請求項７】
セル（あるいはセクタ）の範囲を決定する止まり木チャネル信号の移動局での受信レベルを基準値と比較することで、ハンドオーバの実行開始あるいは実行終了のタイミングを判断する基地局制御装置であって、
ハンドオーバの元セル（あるいは元セクタ）および先セル（あるいは先セクタ）の組み合わせ毎に補正値が記述されたテーブルと、
移動局より、当該移動局に対して実行開始あるいは実行終了されようとしているハンドオーバの元セル（あるいは元セクタ）および先セル（あるいは先セクタ）を入手する入手手段と、
前記入手手段で入手した元セル（あるいは元セクタ）および先セル（あるいは先セクタ）の組み合わせに対して前記テーブルに記述されている補正値を用いて、前記基準値を補正する補正手段と、
前記補正手段で補正された基準値を用いて、当該移動局に対して実行開始あるいは実行終了されようとしているハンドオーバの実行開始あるいは実行終了のタイミングを判断する実行タイミング判断手段と、を有すること
を特徴とする基地局制御装置。
【請求項８】
セル（あるいはセクタ）の範囲を決定する止まり木チャネル信号の移動局での受信レベルを基準値と比較することで、ハンドオーバの実行開始あるいは実行終了のタイミングを判断する基地局制御装置であって、
移動局より、当該移動局に対して実行開始あるいは実行終了されようとしているハンドオーバの元セル（あるいは元セクタ）および先セル（あるいは先セクタ）を入手する入手手段と、
前記基準値を用いて、前記移動局に対するハンドオーバの実行開始あるいは実行終了のタイミングを判断する実行タイミング判断手段と、
前記入手手段で入手した元セル（あるいは元セクタ）および先セル（あるいは先セクタ）の組み合わせに対し、前記実行タイミング判断手段で判断されたタイミングに従ってハンドオーバの実行開始あるいは実行終了を試みた場合における実行結果（成功か失敗か）を、少なくとも１回分蓄積し、その蓄積された結果に応じて前記基準値を補正し、当該補正された基準値を、前記実行タイミング判断手段にて当該組み合わせに対して新たにハンドオーバの実行開始あるいは実行終了のタイミングを判断する際に用いる新たな基準値に設定する補正手段と、を有すること
を特徴とする基地局制御装置。
【請求項９】
セル（あるいはセクタ）の範囲を決定する止まり木チャネル信号の移動局での受信レベルを基準値と比較することで、ハンドオーバの実行開始あるいは実行終了のタイミングを判断する基地局制御装置であって、
移動局より、当該移動局に対して実行開始あるいは実行終了されようとしているハンドオーバの元セル（あるいは元セクタ）および先セル（あるいは先セクタ）を入手する入手手段と、
前記基準値を用いて、前記移動局に対するハンドオーバの実行開始あるいは実行終了のタイミングを判断する実行タイミング判断手段と、
前記入手手段で入手した元セル（あるいは元セクタ）および先セル（あるいは先セクタ）の組み合わせに対し、前記実行タイミング判断手段で判断されたタイミングに従ってハンドオーバの実行開始あるいは実行終了を試みた場合における実行結果（成功か失敗か）を、少なくとも１回分蓄積し、その蓄積された結果に応じて、当該組み合わせの元セル（あるいは元セクタ）あるいは先セル（あるいは先セクタ）をカバーする基地局の止まり木チャネル信号の送信レベルを調整する調整手段と、を有すること
を特徴とする基地局制御装置。
【請求項１０】
セル（あるいはセクタ）の範囲を決定する止まり木チャネル信号の受信レベルを基準値と比較することで、ハンドオーバの実行開始あるいは実行終了のタイミングを判断する、移動体端末であって、
ハンドオーバの元セル（あるいは元セクタ）および先セル（あるいは先セクタ）の組み合わせ毎に補正値が記述されたテーブルと、
止まり木チャネルの受信レベルに基づいて、実行開始あるいは実行終了されようとしているハンドオーバの元セル（あるいは元セクタ）および先セル（あるいは先セクタ）を認識する認識手段と、
前記認識手段で認識した元セル（あるいは元セクタ）および先セル（あるいは先セクタ）の組み合わせに対して前記テーブルに記述されている補正値を用いて、前記基準値を補正する補正手段と、
前記補正手段で補正された基準値を用いて、前記実行開始あるいは実行終了されようとしているハンドオーバの実行開始あるいは実行終了のタイミングを判断する実行タイミング判断手段と、を有すること
を特徴とする移動体端末。
【請求項１１】
請求項１０記載の移動体端末であって、
前記実行タイミング判断手段で判断されたタイミングに従ってハンドオーバの実行開始あるいは実行終了を試みた場合における実行結果（成功か失敗か）を、当該移動体端末が通信中の基地局に通知する通知手段をさらに有すること
を特徴とする移動体端末。
【発明の詳細な説明】
【技術分野】
【０００１】
本発明は、移動局での止まり木チャネル信号の受信レベルを基準値と比較することで、ハンドオーバの実行開始あるいは実行終了のタイミングを判断するハンドオーバの制御方法に関し、特に、符号分割多元接続（Code Division Multiple Access : CDMA）方式を用いたセルラ移動通信におけるソフトハンドオーバの制御に好適なハンドオーバの制御方法に関する。
【背景技術】
【０００２】
ＣＤＭＡは多元接続方式の１つであり、周波数分割多元接続（Frequency Division Multiple Access : FDMA）方式や時分割多元接続（Time Division Multiple Access : TDMA）方式に比べて、周波数配置の簡便さ等の利点を有している。このため、ＥＩＡ/ＴＩＡ ＩＳ-９５等、最近のセルラ移動体通信システムの多元接続方式として採用されている。
【０００３】
さて、ＣＤＭＡ方式には、ソフトハンドオーバ（Soft Hand Over : SHO）と呼ばれる、ＣＤＭＡ独特のチャネル切替方式がある。ＳＨＯは、移動局が複数の基地局と同時に通信を行うことにより実現され、その利点は、移動局がセル間を移動する際に、瞬断なく通信を継続できることにある。また、特開平８-１８５０３号公報記載のように、移動局は、同時通信している各基地局のうち最も通信品質のよい基地局に合わせてトラヒックチャネル信号の送信電力レベルを制御することができるため、送信電力を低減することができる。
【０００４】
以下に、従来のＳＨＯの概要を、図１４を用いて説明する。
【０００５】
図１４において、基地局６０1、６０2がカバーする各セルのセル範囲を決める境界線Ｃ１、Ｃ２は、それぞれ基地局６０1、６０2から常時送信される止まり木チャネル信号（この信号は、一定送信電力で送信され、且つ、通常、同一の周波数信号で変調され、基地局毎に異なる拡散符号で拡散される）の受信レベルによって決定される。境界線Ｃ１よりも基地局６０1側は、基地局６０1がカバーするセルのセル範囲であり、境界線Ｃ２よりも基地局６０2側は、基地局６０2がカバーするセルのセル範囲である。いま、基地局６０1と通信（トラヒックチャネルによる通信）中の移動局５０が、矢印Ａの方向に移動する場合を考える。移動局５０は、境界線Ｃ２を超えると、止まり木チャネル信号の受信レベル測定結果から、基地局６０2がカバーするセルに入ったことを認識する。そして、ＳＨＯの実行を開始して、基地局６０2との通信を試みる。一方、移動局５０は、境界線Ｃ１を超えると、止まり木チャネル信号の受信レベル測定結果から、基地局６０1がカバーするセルから出たことを認識する。そして、ＳＨＯの実行を終了して基地局６０1との通信を絶ち、基地局６０2とのみ通信する。
【発明の開示】
【発明が解決しようとする課題】
【０００６】
ところで、上記従来のＳＨＯは、基地局がカバーするセルのセル範囲と当該基地局が実際に通信（トラヒックチャネルによる通信）可能な範囲とが、互いに一致していることを前提としている。しかしながら、上述したように、基地局がカバーするセルのセル範囲は、当該基地局から送信された止まり木チャネル信号の移動局での受信レベルにより決定されるのに対し、当該基地局が実際に通信可能な範囲は、当該基地局から送信された下りトラフィックチャネル信号の移動局における受信レベルや移動局から送信された上りトラフィックチャネル信号の当該基地局での受信レベル（これらは、アンテナ利得や当該基地局と通信中の移動体数等に依存する）によって決定される。このため、基地局がカバーするセルのセル範囲と当該基地局が実際に通信可能な範囲とにずれが生じることがある。
【０００７】
このように、基地局がカバーするセルのセル範囲と当該基地局が実際に通信可能な範囲とにずれが生じている状態で、上記従来のＳＨＯを実行すると、次のような問題が生じる。
【０００８】
１．ＳＨＯの実行開始を試みても、ＳＨＯの先セルをカバーする基地局（ＳＨＯ先基地局）との通信を確立できないことがある。
【０００９】
図１５に示すように、基地局６０1がカバーするセルのセル範囲（境界線Ｃ１よりも基地局６０1側の範囲）が、当該基地局６０1が実際に通信可能な範囲（境界線Ｈ１よりも基地局６０1側の範囲）よりも狭く、且つ、基地局６０2がカバーするセルのセル範囲（境界線Ｃ２よりも基地局６０2側の範囲）が、当該基地局６０2が実際に通信可能な範囲（境界線Ｈ２よりも基地局６０2側の範囲）よりも広い場合を考える。そして、基地局６０1と通信中の移動局５０が、矢印Ａの方向に移動したとする。この場合、移動局５０は、境界線Ｃ２を超えると、止まり木チャネル信号の受信レベル測定結果から、基地局６０2がカバーするセルに入ったことを認識する。そして、ＳＨＯの実行を開始して、基地局６０2との通信を試みる。しかし、移動局５０は境界線Ｈ２を超えていないので、基地局６０2との通信を確立できない。その結果、移動局５０が境界線Ｈ２を超える位置に到達するまで、ＳＨＯの実行開始と失敗を繰り返すこととなり、基地局６０2および網側に不要な負荷がかかり基地局６０2および網側のリソースを浪費してしまう。
【００１０】
２．ＳＨＯの実行開始直後に、ＳＨＯの元セルをカバーする基地局（ＳＨＯ元基地局）との通信が切断されてしまうことがある。
【００１１】
図１６に示すように、基地局６０1がカバーするセルのセル範囲（境界線Ｃ１よりも基地局６０1側の範囲）が、当該基地局６０1が実際に通信可能な範囲（境界線Ｈ１よりも基地局６０1側の範囲）よりも広く、且つ、基地局６０2がカバーするセルのセル範囲（境界線Ｃ２よりも基地局６０2側の範囲）が、当該基地局６０2が実際に通信可能な範囲（境界線Ｈ２よりも基地局６０2側の範囲）よりも狭い場合を考える。そして、基地局６０1と通信中の移動局５０が、矢印Ａの方向に移動したとする。この場合、移動局５０は、境界線Ｃ２を超えると、止まり木チャネル信号の受信レベル測定結果から、基地局６０2がカバーするセルに入ったことを認識し、ＳＨＯの実行を開始して、基地局６０2との通信を試みる。そして、例えば特開平８-１８５０３号公報記載の技術に従って、移動局５０は、最も通信品質のよい基地局に合わせてトラヒックチャネル信号の送信電力レベルを制御する。この際、図１６に示す例では、移動局５０が境界線Ｃ２を超えたときには、既に、移動局５０は、境界線Ｈ１で仕切られた基地局６０1が実際に通信可能な範囲を逸脱しており、且つ、境界線Ｈ２で仕切られた基地局６０2が実際に通信可能な範囲内に到達しているため、基地局６０2に合わせて送信電力レベルを制御することとなる。その結果、基地局６０1では、移動局５０からの上りトラフィックチャネルを受信することができなくなってしまい、移動局５０との通信が切断されてしまう。つまり、ソフトハンドオーバの実行直後に基地局６０1との通信が絶たれてしまうこととなり、上述した通信の安定性や送信電力の低減といった、ソフトハンドオーバによる利点を殆ど享受することができない。
【００１２】
本発明は、上記事情に鑑みてなされたものであり、本発明の目的は、セルあるいはセクタ範囲と通信可能な範囲とにずれがある場合でも、より確実にハンドオーバを実行できるようにすることにある。
【課題を解決するための手段】
【００１３】
上記目的の達成のために、本発明の移動体通信システムにおけるハンドオーバの制御方法では、移動局がハンドオーバ先基地局と通信可能な範囲に到達したときにハンドオーバの実行が開始され、当該移動局がハンドオーバ元基地局と通信可能な範囲から逸脱したときにハンドオーバの実行が終了するように、ハンドオーバの実行開始あるいは実行終了のタイミングを判断するために止まり木チャネルの受信レベルと比較する基準値を補正するようにしている。または、ハンドオーバ先基地局あるいはハンドオーバ元基地局の止まり木チャネル信号の送信レベルを調整するようにしている。
【００１４】
具体的には、本発明の第１の態様は、予め、ハンドオーバの元セル（あるいは元セクタ）および先セル（あるいは先セクタ）の組み合わせ毎に、補正値を用意する。ここで、補正値は、前記組み合わせ各々について、ハンドオーバの実行開始あるいは実行終了を正常実施できる地点でのハンドオーバ先基地局あるいハンドオーバ元基地局からの止まり木チャネル信号の受信レベルを測定しておき、当該受信レベルと前記基準値との差分に基づいて予め決定するようにすればよい。あるいは、ハンドオーバ元基地局およびハンドオーバ先基地局の止まり木チャネル信号送信レベルの差分と、ハンドオーバ元基地局およびハンドオーバ先基地局のトラヒックチャネル信号送信レベルの差分とに応じて、予め決定することもできる。
【００１５】
そして、実行開始あるいは実行終了されようとしているハンドオーバが対象とする元セル（あるいは元セクタ）および先セル（あるいは先セクタ）の組み合わせを認識し、当該認識した組み合わせに対して予め用意しておいた補正値を用いて、前記基準値を補正し、当該補正された基準値を用いて、当該ハンドオーバの実行開始あるいは実行終了のタイミングを判断する。
【００１６】
また、本発明の第２の態様は、前記組み合わせ各々について、前記基準値を使用してハンドオーバの実行開始あるいは実行終了のタイミングを判断した場合におけるその実行結果（成功か失敗か）を少なくとも１回分蓄積しておく。そして、その蓄積された結果に応じて前記基準値を補正し、当該補正された基準値を、当該組み合わせに対して新たにハンドオーバの実行開始あるいは実行終了のタイミングを判断する際に用いる新たな基準値に設定する。
【００１７】
また、本発明の第３の態様は、前記組み合わせ各々について、前記基準値を使用してそのタイミングを判断した場合におけるその実行結果（成功か失敗か）を少なくとも１回分蓄積しておく。そして、その蓄積された結果に応じて、ハンドオーバ元基地局あるいはハンドオーバ先基地局の止まり木チャネル信号送信レベルを調整する。
【発明の効果】
【００１８】
以上説明したように、本発明によれば、セルあるいはセクタ範囲と通信可能な範囲とにずれがある場合でも、より確実にハンドオーバを実行することができる。
【発明を実施するための最良の形態】
【００１９】
以下、本発明の実施の形態について、本発明を、ＣＤＭＡ方式を用いたセルラ移動通信システムに適用した場合を例にとり説明する。
【００２０】
まず、本発明の第１実施形態について説明する。
【００２１】
図１は、本発明の第１実施形態が適用されたセルラ移動通信システムに用いる移動局１０のブロック図である。
【００２２】
図において、移動局アンテナ１１で受信された信号は、移動局送受分離部１２を介して移動局無線受信部（RFRX）１５に入力され、そこで、ＳＨＯ候補セル選択部１７より通知された、各基地局が採用する拡散符号・変調周波数に従い、逆拡散・復調処理が施されて、各セルの止まり木チャネル信号に復元される。移動局ベースバンド受信部（BBRX）１６は、移動局無線受信部１５で復元された各セルの止まり木チャネル信号の受信レベルを計測し、その結果をＳＨＯ候補セル選択部１７に通知する。
【００２３】
これを受けて、ＳＨＯ候補セル選択部１７は、通知された受信レベルの中から、自移動局１０が通信（トラヒックチャネル信号による通信）中のセル（ＳＨＯ元セル）の止まり木チャネル信号受信レベルと、ＳＨＯ元セル以外のセルであって計測値が最も高く且つ所定値以上のセル（ＳＨＯ先候補セル）の止まり木チャネル信号受信レベルとを抽出し、これらを移動局ベースバンド送信部（BBTX）１４に通知する。移動局ベースバンド送信部１４は、ＳＨＯ候補セル選択部１７から受け取ったＳＨＯ元セルおよびＳＨＯ先候補セルの止まり木チャネル信号受信レベルを含むＳＨＯ情報を生成し、移動局無線送信部（RFTX）１３に通知する。移動局無線送信部１３は、自移動局１０が通信中のセル（ＳＨＯ元セル）をカバーする基地局が採用する拡散符号・変調周波数に従い、ＳＨＯ情報に変調・拡散処理を施し、これを移動局送受分離部１２を介して移動局アンテナ１１から送信する。
【００２４】
なお、移動局１０のトラヒックチャネル信号を介した基地局との通信処理は、既存のＣＤＭＡ方式セルラ移動通信システムにおける移動局の処理と同じであるので、その詳細な説明を省略する。
【００２５】
図２は、本発明の第１実施形態が適用されたセルラ移動通信システムに用いる基地局システム２０のブロック図である。
【００２６】
図示するように、本実施形態で用いる基地局システム２０は、少なくとも２つの基地局２１と、基地局制御装置２２とを有する。
【００２７】
基地局２１において、自基地局２１がカバーするセルのセル範囲を決定する止まり木チャネル信号は、移動局ベースバンド送信部（BBTX）２１４で生成され、移動局無線送信部（RFTX）２１３により、自基地局２１が採用する拡散符号・変調周波数に従って変調・拡散処理が施された後、移動局送受分離部２１２を介して、移動局アンテナ２１１から送信される。
【００２８】
一方、移動局アンテナ２１１で受信された信号は、移動局送受分離部２１２を介して移動局無線受信部（RFRX）２１５に入力され、そこで、自基地局２１が採用する拡散符号・変調周波数に従って逆拡散・復調処理が施され、これにより自基地局２１と通信（トラヒックチャネルによる通信）中の各移動局１０から送信された信号が取り出される。移動局ベースバンド受信部（BBRX）１６は、移動局無線受信部（RFRX）２１５で取り出された各移動局１０の信号からＳＨＯ情報を取り出す。
【００２９】
なお、基地局２１のトラヒックチャネル信号を介した移動局１０との通信処理は、既存のＣＤＭＡ方式セルラ移動通信システムにおける基地局の処理と同じであるので、その詳細な説明を省略する。
【００３０】
基地局制御装置２２は、図示するように、ＳＨＯ制御部２２１と、ＳＨＯ補正値テーブル記憶部２２２と、インターフェース部２２３とを有する。インターフェース部２２３は、各基地局２１が各移動局１０と送受するトラヒックチャネル信号を、例えば公衆網と送受する。ＳＨＯ制御部２２１は、各基地局２１から通知された、当該基地局２１が通信中の移動局１０各々のＳＨＯ情報に基づいて、当該各移動局１０毎にＳＨＯの必要性を判断し、その実行を行う。ＳＨＯ補正値テーブル記憶部２２２には、ＳＨＯの実行開始および実行終了のタイミングを決定する基準値（止まり木チャネル信号の受信レベル）を補正するための補正値が、ＳＨＯ元セルおよびＳＨＯ先候補セルの組み合わせ毎に記憶されている。
【００３１】
次に、基地局制御装置２２のＳＨＯ制御部２２１で行われるＳＨＯ処理について説明する。
【００３２】
図３は、基地局制御装置２２のＳＨＯ制御部２２１で行われるＳＨＯ処理を説明するためのフロー図である。このフローは、各基地局２１と通信中の移動局１０毎に実行される。
【００３３】
まず、ＳＨＯ制御部２２１は、いずれかの基地局２１から、当該基地局２１と新たに通信を開始した移動局１０のＳＨＯ情報が送られてくると（ステップＳ１００１）、当該ＳＨＯ情報に含まれるＳＨＯ元セルとＳＨＯ先候補セルを認識し（ステップＳ１００２）、ＳＨＯ補正値テーブル記憶部２２２から、当該認識したＳＨＯ元セルとＳＨＯ先候補セルの組み合わせの補正値を読み出す（ステップＳ１００３）。
【００３４】
ここで、この補正値について説明する。図４は、ＳＨＯ補正値テーブル記憶部２２２に記憶されているＳＨＯ補正値テーブルの一例を示す図である。
【００３５】
図示するように、ＳＨＯ補正値テーブルには、自基地局制御装置２２に接続された各基地局２１がカバーする各セルについて、ＳＨＯ元セル２２２１とＳＨＯ先候補セル２２２２の組み合わせ毎に、ＳＨＯ実行タイミングを判断するための基準値（通常、セル境界付近での止まり木チャネル信号の受信レベルに予め決定される）を補正するための補正値２２２３が登録される。ここで、この補正値は、移動局１０がＳＨＯ先候補セルをカバーする基地局２１と通信可能な範囲に到達したときにＳＨＯの実行が開始（すなわちＳＨＯ先候補セルとの通信開始）され、当該移動局１０がＳＨＯ元セルをカバーする基地局２１通信可能な範囲から逸脱したときにＳＨＯの実行が終了（すなわちＳＨＯ元セルとの通信終了）されるように、ＳＨＯ元セルとＳＨＯ先候補セルとの組み合わせ毎に、ＳＨＯ元セルのセル範囲と当該セルをカバーする基地局の通信可能範囲とのずれ、および、ＳＨＯ先セルのセル範囲と当該セルをカバーする基地局の通信可能範囲とのずれを考慮して、予め決定される。
【００３６】
以下に、このような補正値の決定方法について、その例を２つ説明する。まず、第１の例について、図５を用いて説明する。
【００３７】
図５（ａ）に示すように、基地局２１1がカバーするセルのセル範囲（境界線Ｃ１よりも基地局２１1側の範囲）が、当該基地局２１1が実際に通信可能な範囲（境界線Ｈ１よりも基地局２１1側の範囲）よりも狭く、且つ、基地局２１2がカバーするセルのセル範囲（境界線Ｃ２よりも基地局２１2側の範囲）が、当該基地局２１2が実際に通信可能な範囲（境界線Ｈ２よりも基地局２１2側の範囲）よりも広い場合を考える。
【００３８】
さて、各基地局２１1、２１2から送信される止まり木チャネル信号の当該各基地局からの距離による減衰率は、図５（ｂ）に示すように、当該信号の送信電力にかかわらず略同じである。また、各基地局２１1、２１2から送信されるトラヒックチャネル信号の当該各基地局からの距離による減衰率も、図５（ｃ）に示すように、当該信号の送信電力にかかわらず略同じである。
【００３９】
したがって、図５（ａ）に示すように、移動局１０が、矢印Ａの方向に移動した場合（つまり、ＳＨＯ元セルが基地局２１1のセルでＳＨＯ先候補セルが基地局２１2のセルである場合）、移動局１０が境界線Ｃ２上の地点Ｐ１に到達したときの基地局２１2の止まり木チャネル信号の受信レベルＳ（＝基準値）と、基地局２１2のトラヒックチャネル信号の受信レベルが実際に通信可能なレベルＱにまで上がったとき（移動局１０が境界線Ｈ２上の地点Ｐ２に到達したとき）の、基地局２１2の止まり木チャネル信号の受信レベルＳＰとの差分（Ｓ-ＳＰ）は、基地局２１1および基地局２１2からの止まり木チャネル信号の受信レベルが互いに等しくなったときのその受信レベルＳ’と、基地局２１1および基地局２１2からのトラヒックチャネル信号の受信レベルが互いに等しくなったときの基地局２１2の止まり木チャネル信号の受信レベルＳ”との差分（Ｓ’-Ｓ”）と略等しい。また、これらの差分は、移動局１０が境界線Ｃ１上の地点Ｔ１に到達したときの基地局２１1の止まり木チャネル信号の受信レベルＳ（＝基準値）と、基地局２１1のトラヒックチャネル信号の受信レベルが実際に通信可能なレベルＱにまで下がったとき（移動局１０が境界線Ｈ１上の地点Ｔ２に到達したとき）の、基地局２１1の止まり木チャネル信号の受信レベルＳＴとの差分（Ｓ-ＳＴ）の正負を逆にしたものと略等しい。
【００４０】
したがって、基地局２１1のセルをＳＨＯ元セルとし、基地局２１2のセルをＳＨＯ先候補セルとする組み合わせにおいて、基地局２１2の止まり木チャネル信号の受信レベルがＳ-（Ｓ’-Ｓ”）のときにＳＨＯを実行開始すれば、基地局２１2のセルと確実に通信を行うことができ、基地局２１1の止まり木チャネル信号の受信レベルがＳ+（Ｓ’-Ｓ”）のときにＳＨＯを実行終了すれば、基地局２１2のセルとの通信を終了することができる。
【００４１】
そこで、ＳＨＯ元セルとＳＨＯ先候補セルとの組み合わせ各々において、上記の差分（Ｓ’-Ｓ”）を予め求めておき、ＳＨＯ補正値テーブルに登録しておく。ここで、当然のことながら、基地局間が地理的に大きく離れていてＳＨＯを行う可能性のないセルの組み合わせについては、上記の補正値を求めておく必要はない。
【００４２】
なお、上記の図５に示す例において、基地局２１2のセルをＳＨＯ元セルとし、基地局２１1のセルをＳＨＯ先候補セルとする組み合わせ（つまり、図５（ａ）において移動局１０が矢印Ａの逆方向に移動する場合）に対しては、基地局２１1のセルをＳＨＯ元セルとし、基地局２１2のセルをＳＨＯ先候補セルとする組み合わせに対する補正値と正負が逆の値が、補正値として設定されることになる。
【００４３】
次に、補正値決定方法の第２の例について、図５を用いて説明する。
【００４４】
図５（ｂ）に示したように、各基地局２１1、２１2から送信される止まり木チャネル信号の当該各基地局からの距離による減衰率は、当該信号の送信電力にかかわらず略同じである。したがって、この減衰率が既知であれば、各基地局２１1、２１2の止まり木チャネル信号の送信電力から、各基地局２１1、２１2の止まり木チャネル信号の受信レベルが互いに等しくなるときの受信レベルＳ’を求めることができる。いま、各基地局２１1、２１2の止まり木チャネル信号の送信電力をＷ1、Ｗ2、単位距離あたりの減衰率を-α、基地局２１1、２１2間の距離をＬ、そして、移動局１０の基地局２１1からの距離をｘとする。この場合の受信レベルＳ’は、次式（１）より求まる。
【００４５】
Ｓ’=Ｗ1-αｘ=Ｗ2-α（Ｌ-ｘ）                （１）
→Ｓ’=（(Ｗ1+Ｗ2)-αＬ）/２
図５（ｃ）に示したように、各基地局２１1、２１2から送信されるトラヒックチャネル信号の当該各基地局からの距離による減衰率は、当該信号の送信電力にかかわらず略同じである。したがって、この減衰率が既知であれば、各基地局２１1、２１2のトラヒックチャネル信号の送信電力から、各基地局２１1、２１2のトラヒックチャネル信号の受信レベルが互いに等しくなる地点を求めることができる。いま、各基地局２１1、２１2のトラヒックチャネル信号の送信電力をＶ1、Ｖ2、単位距離あたりの減衰率を-β、基地局２１1、２１2間の距離をＬ、そして、移動局１０の基地局２１1からの距離をｘとする。この場合、各基地局２１1、２１2のトラヒックチャネル信号の受信レベルが同じレベルＱになるときの距離ｘは、次式（２）より求まる。
【００４６】
Ｑ=Ｖ1-βｘ=Ｖ2-β（Ｌ-ｘ）                  （２）
→ｘ＝（Ｖ1-Ｖ2+βＬ）/２
この結果を式（１）に代入すれば、基地局２１2のトラヒックチャネル信号の受信レベルがＱになるときの、基地局２１2の止まり木チャネル信号の受信レベルＳ”が求まる。
【００４７】
Ｓ”=Ｗ2-α（Ｌ-（（Ｖ1-Ｖ2+βＬ）/２））
このように、ＳＨＯ元セルとＳＨＯ先候補セルとの組み合わせ各々において、基地局から送信される止まり木チャネル信号の当該基地局からの距離による減衰率と、基地局から送信されるトラヒックチャネル信号の当該基地局からの距離による減衰率と、ＳＨＯ元セルの基地局およびＳＨＯ先候補セルの基地局間の距離とが既知であれば、ＳＨＯ元セルおよびＳＨＯ先候補セルの基地局各々の、止まり木チャネル信号およびトラヒックチャネル信号の送信電力から、補正値として用いる差分（Ｓ’-Ｓ”）を計算で求めることができる。
【００４８】
図３に戻って説明を続ける。
【００４９】
ＳＨＯ制御部２２１は、ＳＨＯ情報により認識したＳＨＯ元セルとＳＨＯ先候補セルの組み合わせに対する補正値（Ｓ’-Ｓ”）を、ＳＨＯ補正値テーブル記憶部２２２から読み出すと（ステップＳ１００３）、当該補正値を用いて、ＳＨＯ実行開始（ＳＨＯ先候補セルをカバーする基地局２１とのトラヒックチャネル信号による通信開始）タイミングを決定するＳＨＯ実行開始基準値と、ＳＨＯ実行終了（ＳＨＯ元セルをカバーする基地局２１とのトラヒックチャネル信号による通信終了）タイミングを決定するＳＨＯ実行終了基準値とを算出する（ステップＳ１００４）、具体的には、予め設定されたＳＨＯ実行の開始および終了タイミングを決める基準値Ｓ（通常、セル境界付近での止まり木チャネル信号の受信レベルに決定される）から補正値（Ｓ’-Ｓ”）を減算することで、ＳＨＯ実行開始基準値を算出する。また、基準値Ｓに補正値（Ｓ’-Ｓ”）を加算することでＳＨＯ実行終了基準値を算出する。
【００５０】
それから、ＳＨＯ制御部２２１は、ＳＨＯ情報に含まれるＳＨＯ先候補セルの止まり木チャネル信号の受信レベルが、先程算出したＳＨＯ実行開始基準値以上であるか否かを判断する（ステップＳ１００５）。ＳＨＯ実行開始基準値以上でなければ、ステップＳ１００２に戻り、基地局２１から新たに送られてきた当該移動局１０のＳＨＯ情報に基づいて、以降の処理を繰り返す。一方、ＳＨＯ実行開始基準値以上ならば、ＳＨＯの実行を開始する。つまり、ＳＨＯ先候補セルをカバーする基地局２１に対し、当該移動局１０とトラヒックチャネル信号を用いた通信を開始するように、当該基地局２１を制御する（ステップＳ１００６）。これにより、当該移動局１０は、ＳＨＯ元セルをカバーする基地局２１およびＳＨＯ先セルをカバーする基地局２１に対して、トラヒックチャネル信号を用いた通信を同時に行うこととなる。なお、ＳＨＯの実行開始に失敗した場合は、ステップＳ１００２に戻って、以降の処理を続ける。
【００５１】
さて、ＳＨＯ制御部２２１は、ＳＨＯの実行を開始すると、ＳＨＯ情報に含まれるＳＨＯ元セルの止まり木チャネル信号の受信レベルが、先程算出したＳＨＯ実行終了基準値以下になるのを待つ（ステップＳ１００７）。そして、ＳＨＯ実行終了基準値以下になったならば、ＳＨＯの実行を終了する。つまり、ＳＨＯ元セルの基地局２１に対し、当該移動局１０とトラヒックチャネル信号を用いた通信を終了するように、当該基地局２１を制御する（ステップＳ１００８）。これにより、当該移動局１０は、ＳＨＯ元セルをカバーする基地局２１からＳＨＯ先セルをカバーする基地局２１へ、通信相手を移行させることになる。
【００５２】
以上、本発明の第１実施形態について説明した。
【００５３】
本実施形態では、移動局１０がＳＨＯ先候補セルをカバーする基地局２１と通信可能な範囲に到達したときにＳＨＯの実行が開始され、当該移動局１０がＳＨＯ元セルをカバーする基地局２１と通信可能な範囲から逸脱したときにＳＨＯの実行が終了するよう、ＳＨＯ元セルとＳＨＯ先候補セルの組み合わせに応じて、ＳＨＯ実行開始および実行終了のタイミングを判断するために止まり木チャネル信号の受信レベルと比較する基準値Ｓを補正している。したがって、ＳＨＯの実行開始を試みても、ＳＨＯ先候補セルをカバーする基地局２１との通信を確立できないといった事態や、ＳＨＯの実行開始直後に、ＳＨＯ元セルをカバーする基地局２１との通信が切断されてしまうといった事態が発生する可能性を低く押さえることができる。これにより、ＳＨＯの実行開始と失敗を繰り返して基地局および網側に不要な負荷がかかり、リソースを浪費するのを効率よく防止することができる。また、ＳＨＯの実行開始直後にＳＨＯが終了してしまうことがなくなるので、通信の安定性や送信電力の低減といったＳＨＯによる利点を効率よく享受することができる。
【００５４】
次に、本発明の第２実施形態について説明する。
【００５５】
本実施形態は、上記の第１実施形態において、ＳＨＯ補正値テーブル記憶部２２２に記憶されているＳＨＯ補正値テーブルの各補正値を、図３に示すフローに従い行ったＳＨＯの実行結果に基づいて修正するようにしたものである。このために、本実施形態では、基地局制御装置２２のＳＨＯ制御部２２１において、以下に説明する補正値更新処理をさらに実行するようにしている。
【００５６】
図６は、本発明の第２実施形態において、基地局制御装置２２のＳＨＯ制御部２２１で行われる補正値更新処理を説明するためのフロー図である。
【００５７】
まず、ＳＨＯ制御部２２１は、いずれかの基地局２１と通信中の移動局１０に対し、図３に示すＳＨＯ処理フローのステップＳ１００２以降が実施されると（ステップＳ２００１）、その状況を監視する。
【００５８】
そして、ＳＨＯ実行開始（図３のステップＳ１００６）に成功した場合は（ステップＳ２００２でＹｅｓ：ＳＨＯ先候補セルとの通信を開始できた場合）、ＳＨＯ対象のＳＨＯ元セルおよびＳＨＯ先候補セルの組み合わせに対応付けて登録されている補正値に所定の調整値ｈ（正の値）を加算し、これを新たな補正値に設定する（ステップ２００３）。一方、ＳＨＯ実行開始に失敗した場合（ステップＳ２００２でＮｏ：ＳＨＯ先候補セルとの通信を開始できなかった場合）は、ＳＨＯ対象のＳＨＯ元セルおよびＳＨＯ先候補セルの組み合わせに対応付けて登録されている補正値から前記所定の調整値ｈを減算し、これを新たな補正値に設定する（ステップ２００４）。
【００５９】
また、ＳＨＯ実行終了（図３のステップＳ１００８）に成功した場合は（ステップＳ２００５でＹｅｓ：ＳＨＯ実行終了指示によりＳＨＯ元セルとの通信を終了できた場合）、ＳＨＯ対象のＳＨＯ元セルおよびＳＨＯ先候補セルの組み合わせに対応付けて登録されている補正値から所定の調整値ｈ’（正の値）を減算し、これを新たな補正値に設定する（ステップ２００６）。一方、ＳＨＯ実行終了に失敗した場合（ステップＳ２００５でＮｏ：ＳＨＯ実行終了指示前にＳＨＯ元セルとの通信が断した場合）は、ＳＨＯ対象のＳＨＯ元セルおよびＳＨＯ先候補セルの組み合わせに対応付けて登録されている補正値に前記所定の調整値ｈ’を加算し、これを新たな補正値に設定する（ステップ２００７）。なお、ここで、調整値ｈと調整値ｈ’は、同じ値のものを用いてもよいし、あるいは、異なる値のものを用いてもよい。
【００６０】
以上、本発明の第２実施形態について説明した。
【００６１】
本実施形態では、ＳＨＯの結果に応じて補正値が更新される。したがって、本実施形態によれば、上記の第１実施形態の効果に加えて、例えば、各基地局の通信（トラヒックチャネルによる通信）可能範囲が通信中の移動局１０の数等により動的に変化する場合でも、より確実にＳＨＯの実行開始および終了を行うことができる。
【００６２】
次に、本発明の第３実施形態について説明する。
【００６３】
上記の第２実施形態では、図３に示すＳＨＯ処理フローが実行開始される都度、そのフローに従ったＳＨＯの実行開始および実行終了の結果に基づいて補正値を更新している。これに対し、本実施形態では、ＳＨＯ補正値テーブル記憶部２２２に記憶されているＳＨＯ補正値テーブルのＳＨＯ元セルおよびＳＨＯ先候補セルの組み合わせ毎に、ＳＨＯ元セルおよびＳＨＯ先候補セルを対象とするＳＨＯの実行結果を所定回数分蓄積し、その内容（成功回数と失敗回数の比率）に応じて、当該組み合わせに対する補正値を更新するようにしている。
【００６４】
図７は、本発明の第３実施形態において、基地局制御装置２２のＳＨＯ制御部２２１で行われる補正値更新処理を説明するためのフロー図である。
【００６５】
まず、ＳＨＯ制御部２２１は、いずれかの基地局２１と通信中の移動局１０に対して図３に示すＳＨＯ処理フローのステップＳ１００２以降が実施されると（ステップＳ３００１）、ＳＨＯの実行開始（図３のステップＳ１００６）および実行終了（図３のステップＳ１００８）の結果に基づいて、ＳＨＯ補正値テーブル記憶部２２２にＳＨＯ補正値テーブルと共に記憶されている実績テーブルを更新する（ステップＳ３００２）。
【００６６】
図８は、ＳＨＯ補正値テーブル記憶部２２２に記憶されている実績テーブルの一例を示す図である。図示するように、実績テーブルには、自基地局制御装置２２に接続された各基地局２１がカバーする各セルについて、ＳＨＯ元セル２２２１とＳＨＯ先候補セル２２２２の組み合わせ毎に、当該組み合わせに対するＳＨＯの実施回数２２２５と、ＳＨＯ実行の開始成功数２２２６と、ＳＨＯ実行の終了成功数２２２７とが登録される。
【００６７】
例えば、ＳＨＯ元セルがセル１であり、ＳＨＯ先候補セルをセル２とするＳＨＯが実行された場合、その組み合わせに対応する実施回数２２２５を１つインクリメントする。また、ＳＨＯの実行開始に成功したならば開始成功数２２２６を１つインクリメントし、ＳＨＯの実行終了に成功したならば終了成功数２２２７を１つインクリメントする。
【００６８】
次に、ＳＨＯ制御部２２１は、実績テーブルを調べ、実施回数２２２５が所定数以上となったＳＨＯ元セルおよびＳＨＯ先候補セルの組み合わせがあるか否かを調べる（ステップＳ３００３）。そのような組み合わせが存在する場合、その組み合わせに対応付けて、ＳＨＯ補正値テーブルに記録されている補正値を更新する（ステップＳ３００４）。具体的には、所定の調整値ｈ（＞０）に、実施回数２２２５に対する開始成功数２２２６の比率に応じた値δを乗算した値δｈを求めると共に、所定の調整値ｈ’（＞０）に、実施回数２２２５に対する終了成功数２２２７の比率に応じた値γを乗算した値γｈ’を求める。そして、前記組み合わせの補正値とδｈとの加算値から、γｈ’を減算し、その結果得られた値を、前記組み合わせに対する新たな補正値として、ＳＨＯ補正値テーブルに登録する。なお、ここで、調整値ｈと調整値ｈ’は、同じ値のものを用いてもよいし、あるいは異なる値のものを用いてもよい。
【００６９】
その後、ＳＨＯ制御部２２１は、実績テーブルの前記組み合わせに対する実施回数２２２５、開始成功数２２２６および終了成功数２２２７を全てクリアし（ステップＳ３００５）、ステップＳ３００１に戻る。
【００７０】
以上、本発明の第３実施形態について説明した。
【００７１】
本実施形態も、上記の第２実施形態と同様、例えば、各基地局の通信（トラヒックチャネル信号による通信）可能範囲が通信中の移動局１０の数等により動的に変化する場合でも、より確実にＳＨＯの実行開始および終了を行うことができる。なお、本実施形態では、ＳＨＯの実施回数に対する開始成功数の比率、および、ＳＨＯの実施回数に対する終了成功数の比率を用いて、補正値を更新するようにしているが、ＳＨＯの実施回数に対する開始失敗数の比率、および、ＳＨＯの実施回数に対する終了失敗数の比率を用いて、補正値を更新するようにしてもよい。あるいは、開始成功数に対する開始失敗数の比率、および、終了成功数に対する終了失敗数の比率を用いて補正値を更新するようにしても構わない。
【００７２】
次に、本発明の第４実施形態について説明する。
【００７３】
上記の第１〜第３実施形態では、ＳＨＯ補正値テーブル記憶部２２２に記憶されているＳＨＯ補正値テーブルの補正値に基づいてＳＨＯの実行開始および実行終了タイミングを判断するための基準値を補正している。これに対し、本実施形態では、ＳＨＯの実行開始および実行終了タイミングを判断するための基準値を補正するのではなく、基地局２１の止まり木チャネル信号の送信電力を調整するようにしている。
【００７４】
図９は、本発明の第４実施形態が適用されたセルラ移動通信システムに用いる基地局システム２０のブロック図である。ここで、図２に示す第１〜第３実施形態に用いる基地局システム２０と同じ機能を有するものには、同じ符号を付している。
【００７５】
図示するように、本実施形態で用いる基地局システム２０が図２に示すものと異なる点は、基地局制御装置２２に代えて基地局制御装置２２’を設けた点である。
【００７６】
基地局制御装置２２’において、ＳＨＯ制御部２２１’は、既存のＣＤＭＡ方式セルラ移動通信システムにおけるＳＨＯ処理と同じ処理を実施する。すなわち、いずれかの基地局２１から移動局１０のＳＨＯ情報が送られてくる都度、当該ＳＨＯ情報に含まれるＳＨＯ元セルの止まり木チャネル信号受信レベルとＳＨＯ先候補セルの止まり木チャネル信号受信レベルとを調べる。ＳＨＯ先候補セルの止まり木チャネル信号受信レベルが予め設定された基準値以上になったならば、ＳＨＯを実行開始し、ＳＨＯ先候補セルをカバーする基地局２１に前記移動局１０との通信を開始させる。そして、ＳＨＯの実行開始後、ＳＨＯ元セルの止まり木チャネル信号受信レベルが前記基準値以下になったならば、ＳＨＯを実行終了し、ＳＨＯ元セルをカバーする基地局２１に前記移動局１０との通信を終了させる。
【００７７】
止まり木チャネル電力制御部２２４は、ＳＨＯ制御部２２１’で実施されたＳＨＯの実行結果に基づいて、基地局２１から送信される止まり木チャネル信号の送信電力を制御する。
【００７８】
次に、基地局制御装置２２’の止まり木チャネル電力制御部２２４で行われる止まり木チャネル電力制御処理について説明する。
【００７９】
図１０は、基地局制御装置２２’の止まり木チャネル電力制御部２２４で行われる止まり木チャネル電力制御処理を説明するためのフロー図である。
【００８０】
まず、止まり木チャネル電力制御部２２４は、ＳＨＯ制御部２２１’において、いずれかの基地局２１と通信中の移動局１０に対しＳＨＯ処理が実施されると（ステップＳ４００１）、その状況を監視する。
【００８１】
そして、ＳＨＯ実行開始に成功した場合（ステップＳ４００２でＹｅｓ：ＳＨＯ先候補セルとの通信を開始できた場合）は、ＳＨＯ先候補セルをカバーする基地局２１に対し、止まり木チャネル信号の送信電力を所定量増加させるように制御する（ステップＳ４００３）。一方、ＳＨＯ実行開始に失敗した場合（ステップＳ４００２でＮｏ：ＳＨＯ先候補セルとの通信を開始できなかった場合）は、ＳＨＯ先候補セルをカバーする基地局２１に対し、止まり木チャネル信号の送信電力を所定量減少させるように制御する（ステップＳ４００４）。
【００８２】
また、ＳＨＯ実行終了に成功した場合は（ステップＳ４００５でＹｅｓ：ＳＨＯ実行終了指示によりＳＨＯ元セルとの通信を終了できた場合）、ＳＨＯ元セルをカバーする基地局２１に対し、止まり木チャネル信号の送信電力を所定量増加させるように制御する（ステップＳ４００６）。一方、ＳＨＯ実行終了に失敗した場合（ステップＳ４００５でＮｏ：ＳＨＯ実行終了指示前にＳＨＯ元セルとの通信が断した場合）は、ＳＨＯ元セルをカバーする基地局２１に対し、止まり木チャネル信号の送信電力を所定量減少させるように制御する（ステップＳ４００７）。
【００８３】
以上、本発明の第４実施形態について説明した。
【００８４】
本実施形態では、ＳＨＯの結果に応じて、基地局２１がカバーするセルのセル範囲と当該基地局が通信可能な範囲とが一致するように、当該基地局２１の止まり木チャネル信号の送信電力が調整される。したがって、ＳＨＯの実行開始を試みても、ＳＨＯ先候補セルをカバーする基地局２１との通信を確立できないといった事態や、ＳＨＯの実行開始直後に、ＳＨＯ元セルをカバーする基地局２１との通信が切断されてしまうといった事態が発生する可能性を低く押さえることができる。これにより、ＳＨＯの実行開始と失敗を繰り返して基地局および網側に不要な負荷がかかり、リソースを浪費するのを効率よく防止することができる。また、ＳＨＯの実行開始直後にＳＨＯが終了してしまうことがなくなるので、通信の安定性や送信電力の低減といったＳＨＯによる利点を効率よく享受することができる。加えて、本実施形態によれば、ＳＨＯの結果に応じて止まり木チャネル信号の送信電力が調整されるので、例えば、各基地局の通信（トラヒックチャネル信号による通信）可能範囲が通信中の移動局１０の数等により動的に変化する場合でも、確実にＳＨＯの実行開始および終了を行うことができる。
【００８５】
なお、本実施形態では、ＳＨＯ制御部２２１’でＳＨＯ処理が実施される都度、そのＳＨＯの結果に応じて止まり木チャネル信号の送信電力を調整している。しかしながら、上記の第３実施形態と同様に、ＳＨＯ元セルおよびＳＨＯ先候補セルの組み合わせ毎に、ＳＨＯ元セルおよびＳＨＯ先候補セルを対象とするＳＨＯの実行結果を所定回数分蓄積し、その内容（成功回数と失敗回数の比率）に応じて、ＳＨＯ元セルおよびＳＨＯ先候補セルをカバーする各基地局２１の止まり木チャネル信号の送信電力を調整するようにしてもよい。
【００８６】
次に、本発明の第５実施形態について説明する。
【００８７】
上記の第１〜第３実施形態は、ＳＨＯ処理を基地局システム２０側の主導で行うようにしている。これに対し、本実施形態では、ＳＨＯ処理を移動局１０側の主導で行うようにしている。
【００８８】
図１１は、本発明の第５実施形態が適用されたセルラ移動通信システムに用いる移動局１０’のブロック図である。
【００８９】
この移動局１０’が図１に示す第１〜第３実施形態の移動局１０と異なる点は、ＳＨＯ制御部１８と補正値記憶部１９とが設けられている点、および、ＳＨＯ候補選択部１７は、自移動局１０が通信（トラヒックチャネル信号による通信）中のセル（ＳＨＯ元セル）の止まり木チャネル信号受信レベルのみを移動局ベースバンド送信部１４に通知し、これを受けて、移動局ベースバンド送信部１４は、ＳＨＯ元セルの止まり木チャネル信号受信レベルのみを含むＳＨＯ情報を生成するようにした点である。
【００９０】
移動局１０’において、ＳＨＯ制御部１８は、自移動局１０が通信中の基地局２１を介して、基地局制御装置２２から通知された、当該基地局２１のセルをＳＨＯ元セルとするＳＨＯ先候補セルとの複数の組み合わせに対する補正値を、補正値記憶部１９に記憶する。そして、ＳＨＯ候補選択部１７において、ＳＨＯ元セルの止まり木チャネル信号受信レベルと、ＳＨＯ元セル以外のセルであって計測値が最も高く且つ所定値以上のセル（ＳＨＯ先候補セル）の止まり木チャネル信号受信レベルとが抽出されると、図１２に示すフローを実行する。
【００９１】
すなわち、ＳＨＯ制御部１８は、補正値記憶部１９から、ＳＨＯ候補セル選択部１７で抽出されたＳＨＯ元セルとＳＨＯ先候補セルの組み合わせの補正値を読み出す（ステップＳ５００１）。そして、当該補正値を用いて、ＳＨＯ実行開始（ＳＨＯ先候補セルとのトラヒックチャネル信号による通信開始）タイミングを決定するＳＨＯ実行開始基準値と、ＳＨＯ実行終了（ＳＨＯ元セルとのトラヒックチャネル信号による通信終了）タイミングを決定するＳＨＯ実行終了基準値とを算出する（ステップＳ５００２）。
【００９２】
それから、ＳＨＯ制御部１８は、ＳＨＯ候補セル選択部１７で抽出されたＳＨＯ先候補セルの止まり木チャネル信号受信レベルが、先程算出したＳＨＯ実行開始基準値以上であるか否かを判断する（ステップＳ５００３）。ＳＨＯ実行開始基準値以上でなければ、ステップＳ５００１に戻り、ＳＨＯ候補選択部１７において、新たに抽出されたＳＨＯ元セルの止まり木チャネル信号受信レベルとＳＨＯ先候補セルの止まり木チャネル信号受信レベルに対し、上記の処理を行う。一方、ＳＨＯ実行開始基準値以上ならば、ＳＨＯの実行を開始する。つまり、ＳＨＯ先候補セルをカバーする基地局２１とトラヒックチャネル信号を用いた通信を開始するように、移動局１０’を制御する（ステップＳ５００４）。これにより、当該移動局１０’は、ＳＨＯ元セルをカバーする基地局２１およびＳＨＯ先セルをカバーする基地局２１に対して、トラヒックチャネル信号を用いた通信を同時に行うこととなる。なお、ＳＨＯの実行開始に失敗した場合は、ステップＳ５００１に戻り、ＳＨＯ候補選択部１７において、新たに抽出されたＳＨＯ元セルの止まり木チャネル信号受信レベルとＳＨＯ先候補セルの止まり木チャネル信号受信レベルに対し、上記の処理を行う。また、ＳＨＯの実行開始の結果（成功か失敗か）は、そのＳＨＯの対象となるＳＨＯ元セルおよびＳＨＯ候補先セルの組み合わせを特定する情報と共に、移動局ベースバンド送信部１４、移動局無線送信部１３等を介して、通信中の基地局（ＳＨＯ元セルをカバーする基地局）２１に通知される。
【００９３】
さて、ＳＨＯ制御部１８は、ＳＨＯの実行を開始すると、ＳＨＯ候補選択部１７において、新たに抽出されたＳＨＯ元セルの止まり木チャネル信号受信レベルが、先程算出したＳＨＯ実行終了基準値以下になるのを待つ（ステップＳ５００５）。そして、ＳＨＯ実行終了基準値以下になったならば、ＳＨＯの実行を終了する。つまり、ＳＨＯ元セルをカバーする基地局２１に対し、トラヒックチャネル信号を用いた通信を終了するように、移動局１０’を制御する（ステップＳ５００６）。これにより、移動局１０’は、ＳＨＯ元セルをカバーする基地局２１からＳＨＯ先セルをカバーする基地局２１へ、通信相手を移行させることになる。なお、ＳＨＯの実行終了前に、ＳＨＯ元セルをカバーする基地局２１との通信が断した場合は、ステップＳ５００１に戻り、ＳＨＯ候補選択部１７において、新たに抽出されたＳＨＯ元セルの止まり木チャネル信号受信レベルとＳＨＯ先候補セルの止まり木チャネル信号受信レベルに対し、上記の処理を行う。また、ＳＨＯの実行終了の結果（成功か失敗か）は、そのＳＨＯの対象となるＳＨＯ元セルおよびＳＨＯ候補先セルの組み合わせを特定する情報と共に、移動局ベースバンド送信部１４、移動局無線送信部１３等を介して、通信中の基地局（ＳＨＯ先候補セルをカバーする基地局）２１に通知される。
【００９４】
なお、本実施形態では、基地局制御装置２２において、図３に示すフローは実施されない。その代わりに、基地局制御装置２２のＳＨＯ制御部２２１は、図１３に示すフローを実施する。
【００９５】
すなわち、ＳＨＯ制御部２２１は、いずれかの基地局２１を介して移動局１０’からＳＨＯ情報が送られてくると（ステップＳ６００１）、当該ＳＨＯ情報に含まれるＳＨＯ元セルとの組み合わせの補正値を、ＳＨＯ補正値テーブル記憶部２２２から全て読み出す（ステップＳ６００２）。そして、読み出した各組み合わせの補正値を含む情報を、当該移動局１０’と通信中の基地局２１を介して、当該移動局１０’に送信する（ステップＳ６００３）。
【００９６】
また、本実施形態において、図６に示すフローを実施する場合は、ステップＳ２００１において、いずれかの基地局２１を介して移動局１０’からＳＨＯ実行開始あるいは実行終了の結果が送られてくる都度、ステップＳ２００２以降の処理を行うようにすればよい。同様に、図７に示すフローを実施する場合は、ステップＳ３００１において、いずれかの基地局２１を介して移動局１０’からＳＨＯ実行開始あるいは実行終了の結果が送られてくる都度、ステップＳ３００２以降の処理を行うようにすればよい。
【００９７】
以上、本発明の第５実施形態について説明した。
【００９８】
なお、本実施形態では、上記の第１〜第４実施形態において基地局システム２０側の主導で行われているＳＨＯ処理を、移動局１０’側の主導で行うようにしているが、当然のことながら、上記の第５実施形態において基地局システム２０側の主導で行われているＳＨＯ処理を、移動局１０’側の主導で行うようにすることもできる。この場合、基地局制御装置２２’のＳＨＯ制御部２２１’は不要である。また、基地局制御装置２２’の止まり木チャネル電力制御部２２４は、いずれかの基地局２１を介して送られてきたＳＨＯの実行開始あるいは実行終了の結果に基づいて、図１０に示すステップＳ４００２以降の処理を行えばよい。
【００９９】
以上、本発明の各実施形態について説明した。
【０１００】
なお、本発明は、上記の各実施形態に限定されるものではなく、その要旨の範囲内で数々の変形が可能である。
【０１０１】
例えば、上記の各実施形態では、セル−セル間のＳＨＯについて説明したが、本発明は、セル−セクタ間やセクタ−セクタ間のＳＨＯについても同様に適用できる。この場合、上記の第１〜第３、第５実施形態における補正値は、ＳＨＯ元セルあるいはＳＨＯ元セクタとＳＨＯ先候補セルあるいはＳＨＯ先候補セクタとの組み合わせ毎に用意されることとなる。また、上記の第４実施形態における止まり木チャネル信号の送信電力制御は、ＳＨＯの実行開始の結果に基づいて、ＳＨＯ先候補セルあるいはＳＨＯ先候補セクタの範囲を決定する止まり木チャネル毎に行われ、また、ＳＨＯの実行終了の結果に基づいて、ＳＨＯ元セルあるいはＳＨＯ元セクタの範囲を決定する止まり木チャネル毎に行われることになる。
【０１０２】
また、上記の第１〜第３、第５実施形態では、ＳＨＯの実行開始および実行終了のタイミングを判断するための基準値を補正するための補正値を、ＳＨＯ元セルとＳＨＯ先候補セルの組み合わせ毎に用意する場合について説明した。しかし、本発明は、これに限定されない。
【０１０３】
例えば、各セル毎に、ＳＨＯの実行開始タイミングを判断するための基準値を補正するための第１の補正値と、ＳＨＯの実行終了タイミングを判断するための基準値を補正するための第２の補正値とを用意するようにしてもよい。そして、ＳＨＯ処理時において、ＳＨＯ実行開始タイミングをＳＨＯ先候補セルの第１の補正値により補正された基準値を用いて判断し、ＳＨＯ実行終了タイミングをＳＨＯ元セルの第２の補正値により補正された基準値を用いて判断するようにしてもよい。
【図面の簡単な説明】
【０１０４】
【図１】本発明の第１実施形態が適用されたセルラ移動通信システムに用いる移動局１０のブロック図である。
【図２】本発明の第１実施形態が適用されたセルラ移動通信システムに用いる基地局システム２０のブロック図である。
【図３】図２に示す基地局制御装置２２のＳＨＯ制御部２２１で行われるＳＨＯ処理を説明するためのフロー図である。
【図４】図２に示すＳＨＯ補正値テーブル記憶部２２２に記憶されているＳＨＯ補正値テーブルの一例を示す図である。
【図５】ＳＨＯ補正値テーブルに登録する補正地の決定方法の一例を説明するための図である。
【図６】本発明の第２実施形態において、図２に示す基地局制御装置２２のＳＨＯ制御部２２１で行われる補正値更新処理を説明するためのフロー図である。
【図７】本発明の第３実施形態において、図２に示す基地局制御装置２２のＳＨＯ制御部２２１で行われる補正値更新処理を説明するためのフロー図である。
【図８】本発明の第３実施形態において、図２に示すＳＨＯ補正値テーブル記憶部２２２に記憶されている実績テーブルの一例を示す図である。
【図９】本発明の第４実施形態が適用されたセルラ移動通信システムに用いる基地局システム２０のブロック図である。
【図１０】図９に示す基地局制御装置２２’の止まり木チャネル電力制御部２２４で行われる止まり木チャネル電力制御処理を説明するためのフロー図である。
【図１１】本発明の第５実施形態が適用されたセルラ移動通信システムに用いる移動局１０’のブロック図である。
【図１２】図１１に示す移動局１０’のＳＨＯ制御部１８で行われるＳＨＯ処理を説明するためのフロー図である。
【図１３】本発明の第５実施形態において、基地局制御装置２２のＳＨＯ制御部２２１で行われる処理を説明するためのフロー図である。
【図１４】従来のＳＨＯの概要を説明するための図である。
【図１５】基地局がカバーするセルのセル範囲と当該基地局が実際に通信可能な範囲とにずれが生じている状態で、従来のＳＨＯを実行した場合の問題を説明するための図である。
【図１６】基地局がカバーするセルのセル範囲と当該基地局が実際に通信可能な範囲とにずれが生じている状態で、従来のＳＨＯを実行した場合の問題を説明するための図である。
【符号の説明】
【０１０５】
１０,１０’…移動局、１１…移動局アンテナ
１２…移動局送受分離部、１３…移動局無線送信部
１４…移動局ベースバンド送信部、１５…移動局無線部受信部
１６…移動局ベースバンド受信部、１７…ＳＨＯ候補セル選択部
１８,２２１,２２１’…ＳＨＯ制御部、１９…補正値記憶部
２０…基地局システム、２１…基地局、２２,２２’…基地局制御装置
２１１…基地局アンテナ、２１２…基地局送受分離部
２１３…基地局無線受信部、２１４…基地局ベースバンド受信部
２１５…基地局無線送信部、２１６…基地局ベースバンド受信部
２２２…ＳＨＯ補正値テーブル記憶部
２２３…インタフェース部、２２４…止まり木チャネル電力制御部
【図１】
2006166474.tif 000003
【図２】
2006166474.tif 000004
【図３】
2006166474.tif 000005
【図４】
2006166474.tif 000006
【図５】
2006166474.tif 000007
【図６】
2006166474.tif 000008
【図７】
2006166474.tif 000009
【図８】
2006166474.tif 000010
【図９】
2006166474.tif 000011
【図１０】
2006166474.tif 000012
【図１１】
2006166474.tif 000013
【図１２】
2006166474.tif 000014
【図１３】
2006166474.tif 000015
【図１４】
2006166474.tif 000016
【図１５】
2006166474.tif 000017
【図１６】
2006166474.tif 000018
【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
セル（あるいはセクタ）の範囲を決定する止まり木チャネル信号の移動局での受信レベルを基準値と比較することで、ハンドオーバの実行開始あるいは実行終了のタイミングを判断する、移動体通信システムにおけるハンドオーバの制御方法であって、
ハンドオーバの元セル（あるいは元セクタ）および先セル（あるいは先セクタ）の組み合わせ各々について、前記基準値を使用してそのタイミングを判断した場合における実行結果（成功か失敗か）を、少なくとも１回分蓄積し、その蓄積された結果に応じて、当該組み合わせの元セル（あるいは元セクタ）あるいは先セル（あるいは先セクタ）をカバーする基地局の止まり木チャネル信号の送信レベルを調整すること
を特徴とするハンドオーバの制御方法。
【請求項２】
セル（あるいはセクタ）の範囲を決定する止まり木チャネル信号の移動局での受信レベルを基準値と比較することで、ハンドオーバの実行開始あるいは実行終了のタイミングを判断する基地局制御装置であって、
移動局より、当該移動局に対して実行開始あるいは実行終了されようとしているハンドオーバの元セル（あるいは元セクタ）および先セル（あるいは先セクタ）を入手する入手手段と、
前記基準値を用いて、前記移動局に対するハンドオーバの実行開始あるいは実行終了のタイミングを判断する実行タイミング判断手段と、
前記入手手段で入手した元セル（あるいは元セクタ）および先セル（あるいは先セクタ）の組み合わせに対し、前記実行タイミング判断手段で判断されたタイミングに従ってハンドオーバの実行開始あるいは実行終了を試みた場合における実行結果（成功か失敗か）を、少なくとも１回分蓄積し、その蓄積された結果に応じて、当該組み合わせの元セル（あるいは元セクタ）あるいは先セル（あるいは先セクタ）をカバーする基地局の止まり木チャネル信号の送信レベルを調整する調整手段と、を有すること
を特徴とする基地局制御装置。